(57)【要約】【課題】簡易にゴム入り織物の幅を広くする。【解決手段】トートバッグ本体２の前面４及び後面５は、上平ゴム１１、中平ゴム１２、下平ゴム１３、上連結平ゴム１４、下連結平ゴム１５をそれぞれ有する。上連結平ゴム１４は、上平ゴム１１下端部及び中平ゴム１２上端部と重なる位置でこれらと平行に並べられ、上平ゴム１１下端部及び上連結平ゴム１４上端部は縫い付けられ、中平ゴム１２上端部及び上連結平ゴム１４下端部も縫い付けられている。下連結平ゴム１５は、中平ゴム１２下端部及び下平ゴム１３上端部と重なる位置でこれらと平行に並べられ、中平ゴム１２下端部及び下連結平ゴム１５上端部は縫い付けられ、下平ゴム１３上端部及び下連結平ゴム１５下端部も縫い付けられている。【選択図】図１
2018118486.tif 000002
【特許請求の範囲】
【請求項１】
少なくとも延長方向に伸縮可能なゴム入り織物によって構成された第１織物と、
前記ゴム入り織物によって構成された第２織物と、
前記ゴム入り織物によって構成された接続用織物と、
を備え、
前記第１織物と前記第２織物とは、前記延長方向の長さが同一となるように形成されており、
前記接続用織物の一面において、前記接続用織物の幅方向一端部と前記第１織物の幅方向端部とが固着され、前記接続用織物の幅方向他端部と前記第２織物の幅方向端部とが固着されている、
ゴム入り織物。
【請求項２】
少なくとも延長方向に伸縮可能なゴム入り織物によって構成された接続用織物の一面において、前記接続用織物の幅方向一端部と前記ゴム入り織物によって構成された第１織物の幅方向端部とを固着する工程と、
前記接続用織物の前記一面において、前記接続用織物の幅方向他端部と前記ゴム入り織物によって構成された第２織物の幅方向端部とを固着する工程と、
を含む、ゴム入り織物の製造方法。
【請求項３】
少なくとも袋体の一部に請求項１に記載のゴム入り織物を用いた鞄。
【発明の詳細な説明】
【技術分野】
【０００１】
本発明は、ゴム入り織物、ゴム入り織物の製造方法及びゴム入り織物を用いた鞄に関する。
【背景技術】
【０００２】
従来、所謂平ゴム、織ゴム、編ゴム、エラスティックウェビングバンド（elastic webbing band）等の名称で流通する、ゴムが織り込まれたり、編み込まれたりした帯状のゴム入り織物が知られている。
非特許文献１には、幅方向と直交する延長方向（長さ方向）にゴムが織り込まれて当該延長方向に伸縮可能な一般的な平ゴムが記載されている。非特許文献１の平ゴムは、幅が１ｃｍ〜８ｃｍの範囲で形成されている。
特許文献１には、大人が幼児をおんぶしたり、抱いたりするときに用いる母子間緩衝パッドが記載されている。特許文献１の母子間緩衝パッドには、パッドを固定する肩掛けの紐部分（肩紐）に平ゴムが用いられている。
【先行技術文献】
【特許文献】
【０００３】
【特許文献１】特開２０１２−１１０４１７号公報
【非特許文献】
【０００４】
【非特許文献１】株式会社二口製紐、“製品案内”、［online］、［平成２９年１月５日検索］、インターネット〈URL：https://futakuchi-seichu.jimdo.com/%E8%A3%BD%E5%93%81%E6%A1%88%E5%86%85/〉
【発明の概要】
【発明が解決しようとする課題】
【０００５】
非特許文献１に記載の一般的な平ゴムは幅が狭い（細い）ため、例えば、特許文献１に記載の母子間緩衝パッドの肩紐のように細幅の部分にしか用いることができない問題がある。
【０００６】
本発明は、上記実情に鑑みてなされたものであり、簡易にゴム入り織物の幅を広くすることを目的とする。
【課題を解決するための手段】
【０００７】
上記目的を達成するために、本発明に係るゴム入り織物は、
少なくとも延長方向に伸縮可能なゴム入り織物によって構成された第１織物と、
前記ゴム入り織物によって構成された第２織物と、
前記ゴム入り織物によって構成された接続用織物と、
を備え、
前記第１織物と前記第２織物とは、前記延長方向の長さが同一となるように形成されており、
前記接続用織物の一面において、前記接続用織物の幅方向一端部と前記第１織物の幅方向端部とが固着され、前記接続用織物の幅方向他端部と前記第２織物の幅方向端部とが固着されている。
【０００８】
また、本発明に係るゴム入り織物の製造方法は、
少なくとも延長方向に伸縮可能なゴム入り織物によって構成された接続用織物の一面において、前記接続用織物の幅方向一端部と前記ゴム入り織物によって構成された第１織物の幅方向端部とを固着する工程と、
前記接続用織物の前記一面において、前記接続用織物の幅方向他端部と前記ゴム入り織物によって構成された第２織物の幅方向端部とを固着する工程と、
を含む。
【発明の効果】
【０００９】
本発明によれば、簡易にゴム入り織物の幅を広くすることができる。
【図面の簡単な説明】
【００１０】
【図１】実施の形態１に係るトートバッグの説明図である。
【図２】実施の形態２に係る手提げ袋の説明図である。
【図３】変形例のゴム入り織物の説明図である。
【発明を実施するための形態】
【００１１】
以下、本発明の実施の形態に係るゴム入り織物及びゴム入り織物の製造方法について、図面を参照して説明する。
【００１２】
［実施の形態１］
図１は実施の形態１に係るトートバッグの説明図である。図１（Ａ）はトートバッグの斜視図、図１（Ｂ）はトートバッグの前面上部の要部拡大説明図、図１（Ｃ）はトートバッグの前面下部の要部拡大説明図、図１（Ｄ）はトートバッグの前面を右方から視た拡大説明図、図１（Ｅ）は物を収容したトートバッグの斜視図である。
【００１３】
実施の形態１は、本発明の実施の形態に係るゴム入り織物を用いた鞄の一例としてのトートバッグである。図１（Ａ）及び図１（Ｅ）に示すように、実施の形態１に係るトートバッグ１は、トートバッグ本体（袋体、鞄本体）２と把手部３とを有する。トートバッグ本体２は、前面４、後面５、左面（左側マチ）６、右面（右側マチ）７、底面８を有する。前面４及び後面５は、延長方向である左右方向に伸縮可能且つ幅方向である上下方向に伸縮不能な上平ゴム（第１織物）１１、中平ゴム（第１織物、第２織物）１２、下平ゴム（第２織物）１３、上連結平ゴム（接続用織物）１４、下連結平ゴム（接続用織物）１５をそれぞれ有する。把手部３は、伸縮性が低く延長方向に延び難い平ゴムによって構成されているが、伸縮不能な帯状の織物又は編物によって構成されてもよい。
【００１４】
図１（Ｂ）及び図１（Ｄ）に示すように、上平ゴム１１と中平ゴム１２とは、上下方向に隙間を設けずに左右方向に平行に並べて配置されている。また、上連結平ゴム１４は、上平ゴム１１及び中平ゴム１２と左右方向に平行に並べられ、前方から覆うように上平ゴム１１下端部及び中平ゴム１２上端部と重なる位置に配置されている。また、上平ゴム１１下端部及び上連結平ゴム１４上端部は左右方向全域に亘ってストレッチ糸（伸縮性のある糸）を用いてミシン縫いで縫い付けられており、中平ゴム１２上端部及び上連結平ゴム１４下端部も同様に左右方向全域に亘ってストレッチ糸を用いてミシン縫いで縫い付けられている。よって、トートバッグ１の外側から視て上連結平ゴム１４の上下両端部にはミシン目１６が視認可能となっている。このように、上平ゴム１１と中平ゴム１２とは上連結平ゴム１４によって連結（固着）されている。
【００１５】
また、図１（Ｃ）及び図１（Ｄ）に示すように、中平ゴム１２と下平ゴム１３とは、上下方向に隙間を設けずに左右方向に平行に並べて配置されている。また、下連結平ゴム１５は、中平ゴム１２及び下平ゴム１３と左右方向に平行に並べられ、後方から覆うように中平ゴム１２下端部及び下平ゴム１３上端部と重なる位置に配置されている。また、中平ゴム１２下端部及び下連結平ゴム１５上端部は左右方向全域に亘ってストレッチ糸を用いてミシン縫いで縫い付けられており、下平ゴム１３上端部及び下連結平ゴム１５下端部も同様に左右方向全域に亘ってストレッチ糸を用いてミシン縫いで縫い付けられている。よって、トートバッグ１の外側から視て中平ゴム１２下端部及び下平ゴム１３上端部にはミシン目１６が視認可能となっている。このように、中平ゴム１２と下平ゴム１３とは下連結平ゴム１５によって連結されている。
【００１６】
なお、各平ゴム１１〜１３及び各連結平ゴム１４、１５の左右方向の長さはそれぞれ４００ｍｍに設定されている。また、各平ゴム１１〜１３の上下方向の幅はそれぞれ１００ｍｍに設定されており、各連結平ゴム１４、１５の上下方向の幅はそれぞれ２０ｍｍに設定されている。また、上平ゴム１１下端縁から上方のミシン目１６までの上下方向の幅、中平ゴム１２上端縁から下方のミシン目１６までの幅、中平ゴム１２下端縁から上方のミシン目１６までの幅、下平ゴム１３上端縁から下方のミシン目１６までの幅はそれぞれ６ｍｍに設定されている。
【００１７】
また、左面６、右面７及び底面８は、各平ゴム１１〜１３と同様の平ゴムによって構成されており、左面６及び右面７は延長方向である上下方向に伸縮可能となっており、底面８は延長方向である左右方向に伸縮可能となっている。左面６前端部及び前面４左端部は上下方向全域に亘ってミシン縫いで縫い付けられており、左面６後端部及び後面５左端部も同様に上下方向全域に亘ってミシン縫いで縫い付けられている。また、右面７前端部及び前面４右端部は上下方向全域に亘ってミシン縫いで縫い付けられており、右面７後端部及び後面５右端部も同様に上下方向全域に亘ってミシン縫いで縫い付けられている。また、底面８前端部及び前面４下端部（下平ゴム１３下端部）は左右方向全域に亘ってミシン縫いで縫い付けられており、底面８後端部及び後面５下端部も同様に左右方向全域に亘ってミシン縫いで縫い付けられている。また、底面８左端部及び左面６下端部は前後方向全域に亘ってミシン縫いで縫い付けられており、底面８右端部及び右面７下端部も同様に前後方向全域に亘ってミシン縫いで縫い付けられている。なお、左面６、右面７及び底面８は、連続する１本の平ゴムによって構成されてもよい。
【００１８】
以上説明したように、実施の形態１に係るトートバッグ１によれば、トートバッグ本体２の前面４及び後面５は、各平ゴム１１〜１３が各連結平ゴム１４、１５によって上下方向に連結された１枚のゴム入り織物（ゴム入り生地、生地）で構成されている。
このように、複数の平ゴム１１〜１３を幅方向に並べて連結すれば連結された平ゴム１１〜１３全体としての幅を広げることができる。この結果、簡易に平ゴムの幅を広くすることができ、トートバッグ本体２の前面４及び後面５のような幅広の部分（トートバッグ本体２の目立つ部分）に用いることができる。
【００１９】
また、実施の形態１に係るトートバッグ１によれば、上連結平ゴム１４は、上平ゴム１１及び中平ゴム１２と前方で重なる位置に配置されており、上連結平ゴム１４の後側の面（一面、後面）に上平ゴム１１及び中平ゴム１２が連結されている。
このようにすることで、上連結平ゴム１４が前面４において露出するので、例えば、上平ゴム１１及び中平ゴム１２を同色とし、上連結平ゴム１４を上平ゴム１１及び中平ゴム１２とは異なる色とすれば、上連結平ゴム１４をトートバッグ本体２の装飾部として用いることができ、上連結平ゴム１４をトートバッグ１のデザインの特徴点とすることができる。なお、上連結平ゴム１４の色と縫い付けに用いられるストレッチ糸の色が異なるようにすれば、ストレッチ糸をトートバッグ本体２の模様として用いることができ、ストレッチ糸もトートバッグ１のデザインの特徴点とすることができる。
【００２０】
一方、実施の形態１に係るトートバッグ１によれば、下連結平ゴム１５は、中平ゴム１２及び下平ゴム１３と後方で重なる位置に配置されており、下連結平ゴム１５の前側の面（一面、前面）に中平ゴム１２及び下平ゴム１３が連結されている。また、図１（Ｄ）に示すように、中平ゴム１２及び下平ゴム１３は、上下方向において隙間を設けずに平行に並べられている。
このようにすることで、下連結平ゴム１５が前面４においてトートバッグ１の本体内部に隠れるので、前面４の凹凸や段差を低減できる。具体的には、上連結平ゴム１４のような表面の突出部分を設けないようにすることができる。また、図３（Ａ）及び図３（Ｂ）に示す変更例１のゴム入り織物１００のように、上側の平ゴム１０１の裏面上端部と下側の平ゴム１０１の表面下端部とを単純に連結したときのような表面の段差を設けないようにすることができる。
また、このようにすることで、中平ゴム１２及び下平ゴム１３の境界線となる中平ゴム１２下端縁及び下平ゴム１３上端縁が前面４において露出するので、中平ゴム１２下端縁及び下平ゴム１３上端縁をトートバッグ本体２の模様として用いることができ、中平ゴム１２と下平ゴム１３との連結部分をトートバッグ１のデザインの特徴点とすることができる。なお、中平ゴム１２と下平ゴム１３の色と縫い付けに用いられるストレッチ糸の色が異なるようにすれば、ストレッチ糸をトートバッグ本体２の模様として用いることができ、ストレッチ糸もトートバッグ１のデザインの特徴点とすることができる。
【００２１】
ここで、トートバッグ本体２内部に物を収容すると、図１（Ｅ）に示すように、トートバッグ本体２の内部が拡張して各平ゴム１１〜１３や各連結平ゴム１４、１５が撓んだ状態となる。このとき、中平ゴム１２下端縁及び下平ゴム１３上端縁が変形して下連結平ゴム１５の一部が露出した状態になる。よって、例えば、中平ゴム１２及び下平ゴム１３を同色とし、下連結平ゴム１５を中平ゴム１２及び下平ゴム１３とは異なる色とすれば、下連結平ゴム１５の部分露出が所謂チラ見せとなり、下連結平ゴム１５をトートバッグ本体２の装飾部として用いることができ、下連結平ゴム１５をトートバッグ１のデザインの特徴点とすることができる。
【００２２】
また、実施の形態１に係るトートバッグ１によれば、各平ゴム１１〜１３及び各連結平ゴム１４、１５が幅方向である上下方向に伸縮不能であるため、前面４及び後面５が上下方向に伸縮しないようになっている。また、所謂マチとしての左面６及び右面７は、左面６の前後両端部が前面４左端部及び後面５左端部と上下方向全域に亘ってミシン縫いで縫い付けられており、右面７の前後両端部が前面４右端部及び後面５右端部と上下方向全域に亘ってミシン縫いで縫い付けられている。
このようにすることで、左面６及び右面７を構成する平ゴムが延長方向である上下方向に伸縮可能であっても、縫い付けられた前面４及び後面５が上下方向に伸縮しないので、縫い付けられた前面４及び後面５が上下方向に伸縮するトートバッグよりも左面６及び右面７が上下方向に伸縮し難くなり、左面６及び右面７が上下方向に伸びたままの状態となる型崩れが発生し難くなっている。
【００２３】
［実施の形態２］
図２は実施の形態２に係る手提げ袋の説明図である。図２（Ａ）は手提げ袋の斜視図、図２（Ｂ）は手提げ袋本体の展開図である。
【００２４】
実施の形態２は、本発明の実施の形態に係るゴム入り織物を用いた手提げ袋である。
図２（Ａ）に示すように、実施の形態２に係る手提げ袋２１は、手提げ袋本体２２と把手部２３とを有する。手提げ袋本体２２は、前面２４、後面２５を有する。前面２４及び後面２５は、延長方向である上下方向に伸縮可能且つ幅方向である左右方向に伸縮不能な左平ゴム（第１織物）２６、右平ゴム（第２織物）２７、連結平ゴム（接続用織物）２８を有する。
【００２５】
左平ゴム２６と右平ゴム２７とは、左右方向に隙間を設けずに上下方向に平行に並べて配置されている。また、連結平ゴム２８は、左平ゴム２６及び右平ゴム２７と上下方向に平行に並べられ、前面後方（後面前方）から覆うように左平ゴム２６右端部及び右平ゴム２７左端部と重なる位置に配置されている。また、左平ゴム２６右端部及び連結平ゴム２８左端部は上下方向全域に亘ってストレッチ糸を用いてミシン縫いで縫い付けられており、右平ゴム２７左端部及び連結平ゴム２８右端部も同様に上下方向全域に亘ってストレッチ糸を用いてミシン縫いで縫い付けられている。よって、手提げ袋２１の外側から視て左平ゴム２６右端部及び右平ゴム２７左端部にはミシン目２９が視認可能となっている。このように、左平ゴム２６と右平ゴム２７とは連結平ゴム２８によって連結されている。
【００２６】
手提げ袋本体２２は、図２（Ｂ）に示すように、各平ゴム２６、２７及び連結平ゴム２８が上下方向に延びて連結平ゴム２８が各平ゴム２６、２７の前方に配置された状態から上下方向中央で下側を前方に折り返し（半分に谷折りにし）、重ね合わせた左平ゴム２６の左端部及び右平ゴム２７の右端部をそれぞれ上下方向全域に亘ってストレッチ糸を用いてミシン縫いで縫い付け、折り返した下端部を左右方向全域に亘ってミシン縫いで縫い付けることで作製できる。よって、手提げ袋２１の外側から視て左平ゴム２６左端部、右平ゴム２７右端部及び手提げ袋本体２２の下端部にはミシン目３０が視認可能となっている。
【００２７】
なお、各平ゴム２６、２７及び連結平ゴム２８の上下方向の長さはそれぞれ３００ｍｍに設定されている。また、各平ゴム２６、２７の左右方向の幅はそれぞれ１００ｍｍに設定されており、連結平ゴム２８の左右方向の幅は２０ｍｍに設定されている。また、左平ゴム２６右端縁から左方のミシン目２９までの左右方向の幅、右平ゴム２７左端縁から右方のミシン目２９までの幅はそれぞれ６ｍｍに設定されている。
【００２８】
以上説明したように、実施の形態２に係る手提げ袋２１によれば、例えば、靴やタブレットＰＣ等を収容可能な手提げ袋本体２２を各平ゴム２６、２７及び連結平ゴム２８で構成された１枚のゴム入り織物で作製できる。
なお、実施の形態２では、手提げ袋本体２２を１枚のゴム入り織物で作製したが、これに限定されず、２枚以上のゴム入り織物で作製してもよい。例えば、１枚のゴム入り織物を上下方向中央で折り返さずに切断し、切断された２枚のゴム入り織物を重ね合わせて、ミシン縫いで縫い付けてもよい。すなわち、切断された２枚のゴム入り織物を重ね合わせ、ゴム入り織物の左端部（左平ゴム２６左端部）、右端部（右平ゴム２７右端部）及び下端部をそれぞれミシン縫いで縫い付けてもよい。
その他、実施の形態２に係る手提げ袋２１は、実施の形態１に係るトートバッグ１と同様の作用効果を奏する。
【００２９】
なお、上記実施の形態１、２では、各平ゴム１１〜１３、２６、２７や各連結平ゴム１４、１５、２８は、それぞれ１枚の平ゴムによって構成されているが、これに限定されず、２枚以上の平ゴムを重ねて構成してもよい。このようにすることで、トートバッグ１に重い物が収容されて各平ゴム１１〜１３や各連結平ゴム１４、１５が上下方向に裂けたり、連結したミシン目１６が切れたりしてトートバッグ１が破損することを低減できる。また、このようにすることで、手提げ袋２１に大きな物が収容されて各平ゴム２６、２７や連結平ゴム２８が左右方向に裂けたり、連結したミシン目２９が切れたりして手提げ袋２１が破損することを低減できる。
【００３０】
なお、上記実施の形態１、２では、各平ゴム１１〜１３、２６、２７や各連結平ゴム１４、１５、２８は、それぞれ伸縮性の異なる平ゴムによって構成されてもよい。この場合、各連結平ゴム１４、１５、２８の伸縮率を各平ゴム１１〜１３、２６、２７の伸縮率よりも高くして各平ゴム１１〜１３、２６、２７の伸縮を妨げないようにすることが好ましい。
【００３１】
なお、上記実施の形態１、２では、ゴム入り織物を構成する平ゴム同士の間に間隔を設けずに連結したが、間隔を設けてもよい。例えば、図３（Ｃ）及び図３（Ｄ）に示す変形例２のゴム入り織物２００のように、上側の平ゴム２０１と下側の平ゴム２０１との間に隙間を設けてもよい。この場合、中央の連結平ゴム２０２の上下方向の幅は隙間よりも広くする必要がある。
このようにすることで、連結平ゴム２０２の上下方向の幅も利用してゴム入り織物２００の上下方向の幅を広くすることができる。また、連結平ゴム２０２の配置が上側の平ゴム２０１及び下側の平ゴム２０１よりも前方か後方かに関わらず、連結平ゴム２０２が露出するので、連結平ゴム２０２が露出していること自体をトートバッグ１のデザインの特徴点とすることができる。また、例えば、図３（Ｃ）及び図３（Ｄ）に示す変形例２のゴム入り織物２００のように、平ゴム２０１と連結平ゴム２０２とを上下方向に亘って順番に連結し、平ゴム２０１同士を同色とし、連結平ゴム２０２同士を平ゴム２０１とは異なる色とすれば、平ゴム２０１と連結平ゴム２０２とで縞模様の凹凸を形成することができ、変形例２のゴム入り織物２００のデザインの特徴点とすることができる。
なお、図３（Ｃ）及び図３（Ｄ）では、平ゴム２０１同士の間隔を等間隔としたが、これに限定されず、連結平ゴム２０２の上下方向の幅よりも狭い限りにおいて隙間の上下方向の幅（長さ）を任意に設定してもよい。
【００３２】
なお、上記実施の形態１、２では、連結平ゴムの延長方向の長さを連結する平ゴムの延長方向の長さとしたが、これに限定されず、平ゴムの延長方向の長さよりも短くてもよい。すなわち、平ゴムの延長方向の一部が連結平ゴムと連結していなくてもよい。
なお、上記実施の形態１、２では、１枚の連結平ゴムを用いて平ゴム同士を連結したが、これに限定されず、例えば、複数枚の連結平ゴムを用いて平ゴム同士を連結してもよい。この場合、例えば、連結平ゴム毎に異なる色を用いて複数色の連結平ゴムが露出するようにしてもよい。
また、この場合、複数枚の連結平ゴムの延長方向の長さの合計を平ゴムの延長方向の長さよりも短くしてもよく、延長方向に連結平ゴム同士の隙間が発生してもよい。この場合、上記実施の形態１、２のゴム入り織物のように平ゴム同士の間に隙間がなければ連結平ゴム同士の隙間を露出させないようにすることができる。一方、変形例２のゴム入り織物２００のように平ゴム２０１同士の間に隙間を形成すると連結平ゴム２０２同士の隙間が露出して貫通孔が形成されるので、貫通孔を変形例２のゴム入り織物２００のデザインの特徴点とすることができる。
【００３３】
なお、上記実施の形態１、２では、ゴム入り織物として平ゴムを用いたが、ゴム入り織物の材質はこれに限られず、他の伸縮素材、例えば、伸縮編物や伸縮性不織布などを用いてもよい。
【符号の説明】
【００３４】
１  トートバッグ、２  トートバッグ本体、３  把手部、４  前面、５  後面、６  左面、７  右面、８  底面、１１  上平ゴム、１２  中平ゴム、１３  下平ゴム、１４  上連結平ゴム、１５  下連結平ゴム、１６  ミシン目、２１  手提げ袋、２２  手提げ袋本体、２３  把手部、２４  前面、２５  後面、２６  左平ゴム、２７  右平ゴム、２８  連結平ゴム、２９、３０  ミシン目、１００  ゴム入り織物、１０１  平ゴム、２００  ゴム入り織物、２０１  平ゴム、２０２  連結平ゴム
【図１】
2018118486.tif 000003
【図２】
2018118486.tif 000004
【図３】
2018118486.tif 000005